(57)【特許請求の範囲】
【請求項１】
ワイヤーハーネスに取り付けるワイヤーハーネス保持手段と、車両における所定の取付け箇所に取り付ける車両取付け手段とで構成され、
前記ワイヤーハーネス保持手段が、ワイヤーハーネスの外周に巻き付けて該ワイヤーハーネスを保持する可撓性を有するバンド体と、ワイヤーハーネスに巻き付けた状態に前記バンド体を固定するロック体とで構成されたクランプであって、
前記ワイヤーハーネスに巻き付けた状態の前記バンド体における周方向の少なくとも一部分に、該バンド体の周方向の他の部分の内面と比較して径内方向に突出する径内方向突出部が備えられ、
前記バンド体における前記径内方向突出部の径方向の外側に、前記バンド体の撓み変形を許容するよう前記バンド体の周方向の前記他の部分の外面と比較して径内方向に凹状に構成した撓み変形許容空間が形成され、
前記バンド体の長さ方向の基端側の所定部分に、ワイヤーハーネスに対して巻き付けるワイヤーハーネス巻付部が備えられるとともに、該ワイヤーハーネス巻付部より先端側にバンド体係合部が備えられ、
前記ワイヤーハーネス巻付部が、該ワイヤーハーネス巻付部の長さ方向に沿って複数の前記径内方向突出部を配置して波状に形成され、
前記ロック体が、係合突片と、該係合突片の係合を許容する被係合突起とで構成されるとともに、
前記被係合突起が前記バンド体係合部及び前記ワイヤーハーネス巻付部の先端側の一部に形成され、
前記係合突片が前記車両取付け手段と一体形成された
クランプ。
【請求項２】
前記ワイヤーハーネス巻付部を長さ方向に沿って同じ肉厚で形成した
請求項１に記載のクランプ。
【発明の詳細な説明】
【技術分野】
【０００１】
この発明は、自動車に配索するワイヤーハーネスを車両の所定の取付箇所に取り付けるクランプに関する。
【背景技術】
【０００２】
従来より、ワイヤーハーネスを車両に配索する際に、ワイヤーハーネスの長さ方向の所定間隔ごとに車両側の取付けパネル等に対して固定するための治具として、クランプが用いられている。
【０００３】
クランプは、一般に、ワイヤーハーネスに取り付けるワイヤーハーネス保持手段と、車両における所定の取付け箇所に取り付ける車両取付け手段とを備えた構成であり、ワイヤーハーネス保持手段は、ワイヤーハーネスの外周に巻き付けて該ワイヤーハーネスを保持するバンド体と、ワイヤーハーネスに巻き付けた状態の前記バンド体を固定するロック体とで構成している。
【０００４】
しかし、上述した従来のクランプの場合、クランプを用いて車両にワイヤーハーネスを固定しても、車両が走行するなどにより車両が振動するに伴って、ワイヤーハーネスを構成する複数の電線群の配置位置が互いにずれるなどして、該ワイヤーハーネスの外周形状や径が変動し、バンド体と、該バンド体を巻き付けたワイヤーハーネスとの間に隙間が生じる場合がある。
【０００５】
このため、従来のクランプは、巻き付け当初においては、バンド体をワイヤーハーネスに対して強い締め付け力で巻き付けることができたとしても、時間の経過とともに、バンド体に巻き緩みが生じるという課題を有していた。
【０００６】
また、ワイヤーハーネスに巻き付けたバンド体の締め付け力が、ワイヤーハーネスにクランプを取り付けた当初から元々弱い場合には、バンド体に巻き緩みが生じる一方で、逆に、必要以上に強い締め付け力で締め付けた場合には、ワイヤーハーネスやバンド体に負荷がかかり、損傷するおそれがある。
【０００７】
このため、ワイヤーハーネスに巻き付けたバンド体を適切な締め付け力で締め付けた状態でロック体によりロックする必要があるが、そのためにワイヤーハーネスの配索作業において、作業者が適切な締め付け力でバンド体を締め付けるため、その締め付け具合に意識を払う必要があり、ワイヤーハーネスの配索作業の効率性のさらなる向上を図ることができなかった。
【０００８】
特に、ワイヤーハーネスの配索作業は、現場において作業者が複数のクランプを一つずつ取り付ける必要があり、近年、車両に配索するワイヤーハーネスの配索ルートが複雑化、長尺化するに伴って、これら複数のクランプの全てを適切な締め付け力で締め付けることは益々、困難となっている。
【０００９】
このため、複数のクランプのうち一つでも弱い締め付け力でバンド体によりワイヤーハーネスを締め付けた場合には、その部分においてワイヤーハーネスの長手方向のズレ（横ズレ）が生じることになり、ワイヤーハーネスの位置を規制することができないばかりかバンド体に対してワイヤーハーネスが擦れるなどして損傷するという課題も生じる。
【００１０】
このような課題に対して、ワイヤーハーネスに巻き付けたバンド体を強い締め付け力で容易に締め付けることができるクランプとして特許文献１においてハーネス結束クランプが提案されている。
【００１１】
特許文献１のハーネス結束クランプは、バンド体の長さ方向において一定の間隔ごとに形成した側面視三角形状の三角突起を、バンド体の内面に２列状態に配列し、一方の列側に存する三角突起と他方の列側に存する三角突起の向きを互いに逆向きで構成したものである。
【００１２】
特許文献１によれば、ハーネス結束クランプは、上述した構成により、三角突起がハーネス側に強固に食い込んで、結束クランプの如何なる方向への回転も確実に阻止できるので、ハーネスに対する横ズレに加えて、ハーネスに対する結束クランプの回転をも防止することができる旨の作用、効果が記載されている。
【００１３】
しかし、上述したように、車両が振動するなどに伴って、バンド体を巻き付けたワイヤーハーネスを構成する複数の電線群の配置位置が互いにずれるなどしてワイヤーハーネスの外周形状や径が変動するなどした場合がある。
【００１４】
このため、特許文献１のハーネス結束クランプは、バンド体を巻き付けた当初においては、三角突起がハーネス側に食い込むことにより強固な締め付け状態を得ることができたとしても、時間の経過とともに徐々に、三角突起が食い込むことによるワイヤーハーネスの締め付け効果の前提となるバンド体自体の締め付け力が弱くなる。そうすると、三角突起が食い込むことによるくさび効果も弱くなり、十分な締め付け力を得ることができないという課題が生じることになる。
【先行技術文献】
【特許文献】
【００１５】
【特許文献１】特許第３２５２３４３号公報
【発明の概要】
【発明が解決しようとする課題】
【００１６】
そこでこの発明は、車両が振動してもワイヤーハーネスをバンド体によりしっかりと締め付けた状態で巻き付けた状態で固定できるクランプの提供を目的とする。
【課題を解決するための手段】
【００１７】
本発明は、ワイヤーハーネスに取り付けるワイヤーハーネス保持手段と、車両における所定の取付け箇所に取り付ける車両取付け手段とで構成され、前記ワイヤーハーネス保持手段が、ワイヤーハーネスの外周に巻き付けて該ワイヤーハーネスを保持する可撓性を有するバンド体と、ワイヤーハーネスに巻き付けた状態に前記バンド体を固定するロック体とで構成されたクランプであって、前記ワイヤーハーネスに巻き付けた状態の前記バンド体における周方向の少なくとも一部分に、該バンド体の周方向の他の部分の内面と比較して径内方向に突出する径内方向突出部が備えられ、前記バンド体における前記径内方向突出部の径方向の外側に、前記バンド体の撓み変形を許容するよう前記バンド体の周方向の前記他の部分の外面と比較して径内方向に凹状に構成した撓み変形許容空間が形成され、前記バンド体の長さ方向の基端側の所定部分に、ワイヤーハーネスに対して巻き付けるワイヤーハーネス巻付部が備えられるとともに、該ワイヤーハーネス巻付部より先端側にバンド体係合部が備えられ、前記ワイヤーハーネス巻付部が、該ワイヤーハーネス巻付部の長さ方向に沿って複数の前記径内方向突出部を配置して波状に形成され、前記ロック体が、係合突片と、該係合突片の係合を許容する被係合突起とで構成されるとともに、前記被係合突起が前記バンド体係合部及び前記ワイヤーハーネス巻付部の先端側の一部に形成され、前記係合突片が前記車両取付け手段と一体形成されたことを特徴とする。
【００１８】
また、上述したように、径内方向突出部は、前記バンド体の周方向の他の部分の内面と比較して径内方向に突出するよう備えるとともに、前記径内方向突出部の径方向の外側部分は、前記バンド体の周方向の前記他の部分の外面と比較して径内方向に凹状に構成しているが、これら径内方向突出部の内面と、前記径内方向突出部の外面とのそれぞれの形状は、例えば、互いに同じ形状であっても、曲率、突出量などが異なる形状であってもよく、様々な形状で形成することができる。
【００１９】
前記波状には、例えば、正弦波、三角波、のこぎり波、矩形波、台形波、或いは、これらの合成波などを含み、さらには、ワイヤーハーネス巻付部の内面と外面とのそれぞれを、異なる波形で形成してもよい。
【００２０】
さらに、波状に形成した前記ワイヤーハーネス巻付部の山部分と谷部分との数（波の周期）や、波の振幅の大きさはワイヤーハーネスを保持することができる波形状であれば特に、限定しない。
【００２１】
さらにまた、前記ワイヤーハーネス巻付部を、該ワイヤーハーネス巻付部の長さ方向に沿って波状に形成する方法としては、例えば、波状の形状となるよう成形する方法を挙げることができる。その他にも、例えば、直線状のワイヤーハーネス巻付部に対して適宜の間隔ごとに熱を付与していき、該熱を付与した部分を収縮変形させることで波状に形成する方法を挙げることができる。  
前記ワイヤーハーネス巻付部の製造方法は、上述した製造方法に限定せず、前記ワイヤーハーネス巻付部を該ワイヤーハーネス巻付部の長さ方向に沿って波状に形成することが可能であれば、その製造方法は限定しない。
【００２２】
本発明のクランプによれば、撓み変形したバンド体には、撓み変形前の形状に復元しようとする復元力（弾性力）が作用するため、該バンド体は、前記ワイヤーハーネスの外周形状が変動しても、その変動後の外周形状に追従するとともに、変動後の前記ワイヤーハーネスに対して付勢することができる。
【００２３】
このように、撓み変形したバンド体が復元しようとする復元力（弾性力）を締め付け力として活かした状態でバンド体により前記ワイヤーハーネスを締めることができるため、前記ワイヤーハーネスをバンド体によりしっかりと締め付けた状態で巻き付けることができる。
【００２４】
また、複数のクランプごとの締め付け力の変動の影響を受けずに、全てのクランプについて、車両に振動等が生じても巻き付けが緩むことなく、バンド体を前記ワイヤーハーネスに対して確実に、且つ、スムーズに巻き付けた状態で固定することができる。
【００２５】
また、前記バンド体の長さ方向の基端側の所定部分に、ワイヤーハーネスに対して巻き付けるワイヤーハーネス巻付部が備えられるとともに、該ワイヤーハーネス巻付部より先端側にバンド体係合部が備えられ、前記ワイヤーハーネス巻付部が、該ワイヤーハーネス巻付部の長さ方向に沿って複数の前記径内方向突出部を配置して波状に形成されているため、前記ワイヤーハーネス巻付部は、ワイヤーハーネスに巻き付けた状態において、ワイヤーハーネスを、前記バンド体の周方向の全体について、弾性力による優れた締め付け力で均等に巻き付けることができる。
【００２６】
さらに、周方向に配設した複数の径内方向突出部によってワイヤーハーネスの外周をしっかりと保持しつつ、たとえ車両の振動などによりワイヤーハーネスを構成する電線の配置位置がずれるなどしても、前記ワイヤーハーネス巻付部が撓み変形するため、撓み変形ワイヤーハーネス巻付部の復元力によりワイヤーハーネスを締め付けた状態に保つことができる。
【００２７】
また、前記ロック体が、係合突片と、該係合突片の係合を許容する被係合突起とで構成されるとともに、前記被係合突起が前記バンド体係合部及び前記ワイヤーハーネス巻付部の先端側の一部に形成され、前記係合突片が前記車両取付け手段と一体形成されているため、前記バンド体を前記ワイヤーハーネスに巻き付けた状態で係合突片を被係合突起に係合させてロックする際に、前記ワイヤーハーネス巻付部に形成した前記径内方向突出部が邪魔になることなく、スムーズ、且つ、しっかりと、バンド体をロックすることができる。
【００２８】
またこの発明の態様として、前記ワイヤーハーネス巻付部を長さ方向に沿って同じ肉厚で形成することができる。
【００２９】
この構成によれば、前記ワイヤーハーネス巻付部を長さ方向に沿って同じ肉厚となるよう形成したため、ワイヤーハーネスに対して前記ワイヤーハーネス巻付部を巻き付けた状態において、周方向における前記ワイヤーハーネス巻付部の肉厚の違いに起因して前記ワイヤーハーネス巻付部の周方向において撓み変形性に違いが生じることないため、前記ワイヤーハーネス巻付部の周方向全体に亘って前記ワイヤーハーネスを締め付けるための均等な弾性（復元力）を得ることができ、前記ワイヤーハーネスをバランスよく締め付けることができる。
【発明の効果】
【００３０】
この発明によれば、車両が振動してもワイヤーハーネスをバンド体によりしっかりと締め付けた状態で巻き付けた状態で固定できるクランプを提供することができる。
【図面の簡単な説明】
【００３１】
【図１】クランプの斜視図。
【図２】クランプの正面図。
【図３】クランプの側面図（ａ），クランプの底面図（ｂ）。
【図４】クランプの一部を構成するロック体の構成説明図。
【図５】クランプの作用説明図。
【図６】クランプの作用説明図。
【図７】他の実施形態のクランプの構成説明図。
【図８】他の実施形態のクランプの構成説明図。
【図９】従来のクランプの構成説明図。
【図１０】従来のクランプの作用説明図。
【図１１】従来のクランプの作用説明図。
【発明を実施するための形態】
【００３２】
この発明の一実施形態を、以下図面を用いて説明する。  
本実施形態におけるクランプ１は、図１及至図４に示すように、ワイヤーハーネス１００に取り付けて保持するワイヤーハーネス保持部分１０と、車両における取付パネル２００の所定の取付孔２００ａに取り付ける車両取付け部分５０とで一体に構成している。
【００３３】
ワイヤーハーネス保持部分１０は、ワイヤーハーネス１００の外周に巻き付けた状態で該ワイヤーハーネス１００を保持するバンド体２０と、ワイヤーハーネス１００に巻き付けた状態のバンド体２０を固定するロック体６０とで構成している。
【００３４】
換言すると、クランプ１は、クランプ本体４０とバンド体２０とで構成し、バンド体２０の長さ方向の一端側をクランプ本体４０の上部側方に一体に連結した形態で一体に形成している。クランプ本体４０は、上側部分にバンド体２０をロックするためのロック係合部分３０を配設するとともに、下側部分に前記車両取付け部分５０を配設している。
【００３５】
なお、図１はワイヤーハーネス１００の外周に巻き付けてワイヤーハーネス１００を保持した状態の斜視図を示す。図２はワイヤーハーネス１００の外周に巻き付けてワイヤーハーネス１００を保持した状態で車両における所定の取付孔２００ａに取り付ける直前の様子を示すワイヤーハーネス１００の正面図を示し、図３（ａ），（ｂ）は、それぞれバンド体２０を直線状に配置した状態のクランプ１の側面図、底面図を示している。図４は、クランプ１におけるロック体６０の構成を断面により示したロック体６０の構成説明図を示している。  
また、以下の説明において、特に示す場合を除いて、図２に示すように、クランプ１を車両におけるパネルの取付孔２００ａに差し込んで取り付ける際に差し込み方向を下方向Ｄｄとするとともに、差し込み方向と反対方向を上方向Ｄｕとして説明する。
【００３６】
前記バンド体２０は、長さ方向の全長に亘って幅方向よりも厚みの薄い断面視倒位の四角形状をした帯状に形成するとともに、可撓性を有して形成している。バンド体２０は、長さ方向の基端側部分２０ｓから先端側部分２０ｔにかけての部分を、ワイヤーハーネス巻付部２１とするとともに、該ワイヤーハーネス巻付部２１よりも先端側部分２０ｔを、ロック係合部分３０と係合するバンド体係合部２５としている。
【００３７】
ワイヤーハーネス巻付部２１は、ワイヤーハーネス１００に巻き付け可能な長さを有し、長さ方向全体を同じ肉厚で形成するとともに、長さ方向に沿って側面視正弦波状、つまり、ワイヤーハーネス巻付部２１の表面側と裏面側へ長さ方向に沿って交互に突出した形状となるよう形成している。
【００３８】
換言すると、図２中のＸ部拡大図に示すように、ワイヤーハーネス巻付部２１をワイヤーハーネス１００に巻き付けた状態において、該ワイヤーハーネス巻付部２１の周方向の他の部分２３の内面２３ｂと比較して径内方向に突出する部分を周方向に複数配設した形状で形成し、該突出部分を径内方向突出部２２として形成している。
【００３９】
さらに、図２中のＸ部拡大図に示すように、ワイヤーハーネス巻付部２１における径内方向突出部２２の径方向の外側に、該ワイヤーハーネス巻付部２１の撓み変形を許容するようワイヤーハーネス巻付部２１の周方向の他の部分２３の外面２３ａと比較して径内方向に凹状に構成した撓み変形許容空間２２Ａを構成している。
【００４０】
上述したように、ワイヤーハーネス巻付部２１の周方向に亘って複数の径内方向突出部２２を配設し、ワイヤーハーネス巻付部２１における前記径内方向突出部２２の径方向の外側に、前記撓み変形許容空間２２Ａを備えることにより、ワイヤーハーネス巻付部２１を、前記ワイヤーハーネス１００の外周形状に応じて撓み変形するバンド体撓み変形部として構成している。
【００４１】
図４に示すように、バンド体係合部２５は、該バンド体係合部２５の外面２１ａ側を、ワイヤーハーネス巻付部２１の外面２１ａに対して凹状になる凹底部２５ａを長さ方向に沿って形成している。バンド体係合部２５の凹底部２５ａは、ワイヤーハーネス巻付部２１の肉厚に対して略半分の肉厚となる深さで形成し、長方向に沿って複数の被係合突起６２を配設している。なお、被係合突起６２は、凹底部２５ａからワイヤーハーネス巻付部２１の肉厚と略同じ肉厚となる突出量で形成している。
【００４２】
また、ロック係合部分３０の上下方向Ｄに対する側周面における所定の側面の上部には、上述したように、バンド体２０の長さ方向の基端側部分２０ｓを一体に連結する連結部分３１を有している。図４に示すように、ロック係合部分３０の該連結部分３１を有する側の側面と、該側面に対して反対側の側面とを結ぶ方向に沿ってバンド体係合部２５の挿通を許容するよう貫通させたバンド体挿通孔３２を形成している。
【００４３】
バンド体挿通孔３２の下面には、バンド体２０をバンド体挿通孔３２に挿入した状態において、バンド体係合部２５の長さ方向に沿って配設した複数の被係合突起６２のうちのいずれかと係合する係合突片６１をバンド体挿通孔３２に向けて突状に形成している。
【００４４】
換言すると、ロック係合部分３０に形成した前記係合突片６１と、バンド体係合部２５に複数形成した前記被係合突起６２とによって上述のロック体６０を構成している。
【００４５】
続いて、車両取付け部分５０について説明する。車両取付け部分５０は、車体の取付けパネル２００に形成した取付孔２００ａに差込み可能にロック係合部分３０に対して下方向Ｄｄに突出した形状で形成した差込突部５１と、該差込突部５１の基端部に形成され、取付けパネル２００の表面を押える鍔状の差込ストッパ部５２とで構成している。さらに、差込突部５１は、差込突部本体５１ａと、取付けパネル２００に穿孔した取付孔２００ａの表面側から差し込んで、裏面側で取付孔２００ａよりも拡径するよう差込突部本体５１ａから側方へ突出したフック５１ｂとで碇形状で形成している。
【００４６】
上述したクランプ１が奏する作用、効果について、図５、図６、図９〜図１１を用いて説明する。  
図５（ａ），（ｂ）は、バンド体２０によりワイヤーハーネス１００に巻き付けた状態の一部を模式的に示した本実施形態のクランプ１の作用説明図であり、特に、図５（ａ）は、バンド体２０をワイヤーハーネス１００に巻き付けた当初の状態を示している。図５（ｂ）は、ワイヤーハーネス１００の外周径が時間経過とともに変動が生じた場合におけるバンド体２０によるワイヤーハーネス１００の巻き付け状態を示している。
【００４７】
図６（ａ）は、図５（ａ）のＸ１部の拡大図を示し、図６（ｂ）は、図５（ｂ）のＸ２部の拡大図を示している。  
図９（ａ）は、バンド体５２０をワイヤーハーネス１００に巻き付けた状態の従来のクランプ５００の正面図を示している。図９（ｂ）は、バンド体５２０を直線状に配置した状態の従来のクランプ５００の側面図を示している。
【００４８】
図１０（ａ），（ｂ）は、バンド体５２０をワイヤーハーネス１００に巻き付けた状態の一部を模式的に示した従来のクランプ５００の作用説明図であり、特に、図１０（ａ）は、バンド体５２０をワイヤーハーネス１００に巻き付けた当初の状態示している。図１０（ｂ）は、ワイヤーハーネス１００の外周径が変動した場合におけるバンド体５２０によるワイヤーハーネス１００の巻き付け状態を示している。  
図１１（ａ）は、図１０（ａ）のＹ１部の拡大図を示し、図１０（ｂ）は、図１０（ｂ）のＹ２部の拡大図を示している。
【００４９】
本実施形態のクランプ１によれば、バンド体２０をワイヤーハーネス１００に巻き付けたとき、バンド体２０の締め付けによってワイヤーハーネス巻付部２１が撓み変形する。そして、この撓み変形したワイヤーハーネス巻付部２１が撓み変形する前の形状に復元しようと作用する復元力（弾性力）を含めた締め付け力Ｆ（図６（ａ），（ｂ）参照）によってワイヤーハーネス１００を締め付けることができるため、ワイヤーハーネス１００を巻き付けた状態にしっかりと保持することができる。
【００５０】
詳しくは、クランプ１のバンド体２０を前記ワイヤーハーネス１００に対して巻き付けることにより、少なくとも巻き付け当初については、締め付けた状態を維持し、ワイヤーハーネス１００をしっかりと保持できる。
【００５１】
しかし、例えば、ワイヤーハーネス１００を構成する複数の電線１００ａ、或いは、複数本の電線１００ａを束ねた電線群同士の間に余分な隙間などが存在した場合には、車両が振動することに伴ってこれら余分な隙間が消滅するなどして、複数の電線１００ａの配置位置が徐々に変動する事態が生じることがある。  
このような場合、時間の経過とともに、ワイヤーハーネス１００の外周形状や外径が変動することになる。
【００５２】
このような事態が生じた場合において、従来のクランプ５００のバンド体５２０には、可撓性を有していたが、図９（ａ）に示すように、ワイヤーハーネス１００に巻き付けた状態においては、周方向において径内方向突出部２２を備えていないため、略一定の曲率を有する円筒形状であるとともに、図９（ｂ）に示すように、ワイヤーハーネス１００に巻き付けていない状態においては、長さ方向においてバンド体５２０の内面と外面とが平行となる直線形状である。
【００５３】
上述したような構成のバンド体５２０を備えた従来のクランプ５００は、図１０（ａ）、図１１（ａ）に示すように、バンド体５２０をワイヤーハーネス５００に巻き付けた当初は、バンド体５２０が、ワイヤーハーネス１００の外周側に位置する複数の電線１００ａに当接した状態でしっかりとワイヤーハーネス１００を保持することができる。
【００５４】
しかし、車両の振動等によって、上述したように、複数の電線１００ａの配置位置が徐々に変動するなどして、ワイヤーハーネス１００の外周形状や外径に変動が生じたり、ロック体６０において複数の係合突起６２に対する被係合突片６１の係合が意に反して１つずれるなどしてバンド体５２０の締め付けが緩んだ場合、図１０（ｂ）、及び、図１１（ｂ）に示すように、ワイヤーハーネス１００とバンド体５２０との間に隙間Ｓが生じることになる。
【００５５】
そうすると、バンド体５２０によるワイヤーハーネス１００の締め付け力が弱くなる、或いは、バンド体５２０によりワイヤーハーネス１００を締め付けることができず、クランプ５００によってワイヤーハーネス１００の長さ方向について、ワイヤーハーネス１００の取り付け位置を固定することができなくなる。
【００５６】
これに対して、本実施形態のクランプ１は、バンド体２０のワイヤーハーネス巻付部２１を長さ方向に沿って波状に形成し、ワイヤーハーネス１００を保持したとき、前記バンド体２０における前記径内方向突出部２２の径方向の外側に、前記ワイヤーハーネス巻付部２１の撓み変形を許容する撓み変形許容空間２２Ａを形成している。このため、可撓性を有したワイヤーハーネス巻付部２１を、ワイヤーハーネス１００に巻き付けることによって該ワイヤーハーネス１００の外周から外力を受けたとき、該ワイヤーハーネス巻付部２１が柔軟に撓み変形することを撓み変形許容空間２２Ａによって許容することができる。
【００５７】
よって、ワイヤーハーネス巻付部２１は、ワイヤーハーネス１００の外周形状に応じて柔軟に撓み変形し易くなり、ワイヤーハーネス１００の変動後の外周形状に応じて撓み変形したワイヤーハーネス巻付部２１の復元力（弾性力）を含めた十分な締め付け力（付勢力）によってワイヤーハーネス１００を保持することができる。
【００５８】
詳しくは、図５（ａ）、及び、図６（ａ）に示すように、バンド体２０によりワイヤーハーネス１００を保持した巻き付け当初の状態から例えば、上述したように、ワイヤーハーネス１００の外周形状や外径に変動が生じるなどして、時間経過とともに、バンド体２０、及びワイヤーハーネス１００の少なくともいずれか一方の外周長さに変動が生じる場合である。
【００５９】
このような場合であっても、図５（ｂ）、及び、図５（ｂ）に示すように、ワイヤーハーネス巻付部２１がワイヤーハーネス１００の外周側に位置する電線１００ａの配置位置の変動に追従するように撓み変形（弾性変形）し、ワイヤーハーネス１００の変動後の外周形状に応じて撓み変形したワイヤーハーネス巻付部２１の復元力（弾性力）を含めた十分な締め付け力Ｆによってワイヤーハーネス１００を保持することができる。
【００６０】
従って、バンド体２０をワイヤーハーネス１００に巻き付けたときの該バンド体２０による締め付け力のみによってワイヤーハーネス１００を締め付ける従来のクランプ５００と比較して、車両が振動したり、長期間経過した後であっても、バンド体２０の前記ワイヤーハーネス１００の締め付け力が弱まることがないため、前記バンド体２０が巻き緩むことを防止することができる。
【００６１】
また、現場において作業者が車両に対してワイヤーハーネス１００を複数のクランプ１により取り付ける際においても、全てのクランプ１についてバンド体２０を前記ワイヤーハーネス１００に対して確実に、且つ、スムーズに巻き付けた状態で固定することができる。
【００６２】
詳しくは、近年、車両に配索するワイヤーハーネス１００の配索ルートが複雑化、長尺化するに伴って、現場においてワイヤーハーネス１００にバンド体２０を巻き付けた状態で締め付ける作業を、作業者が複数のクランプ１について一つずつ行う必要があるため、全てのクランプ１のバンド体２０を前記ワイヤーハーネス１００に対して一定の締め付け力で締め付けることは困難であった。
【００６３】
このため、複数のクランプ１の中には、所望の締め付け力に対して締め付け力が小さい場合が生じることがあり、このような締め付け力が弱い巻き付け態様の場合には、車両の振動などにより、車両に対してワイヤーハーネス１００を固定しておくことができない場合があるという問題が生じることになる。
【００６４】
逆に、現場において作業者が前記ワイヤーハーネス１００に対してバンド体２０を巻き付ける際に、バンド体２０を必要以上に強い締め付け力で締め付けた場合には、バンド体２０やワイヤーハーネス１００を構成する電線１００ａに損傷を与えるおそれがあるという問題がある。
【００６５】
これに対して、ワイヤーハーネス巻付部２１の撓み変形に伴って生じる復元力（弾性力）を活かして締め付けることで、作業者が締め付ける際に、クランプ１ごとの締め付け具合の違いに関わらず、適度な締め付け力でしっかりと締め付けることができる。
【００６６】
従って、現場において作業者が車両に対してワイヤーハーネス１００を複数のクランプ１により車両に取り付ける際に、バンド体２０によるワイヤーハーネス１００の複数のクランプ１ごとの締め付け力の違いの影響を受けずに、全てのクランプ１について確実に、且つ、スムーズにバンド体２０を前記ワイヤーハーネス１００に対して巻き付けた状態で固定することができる。
【００６７】
さらに、本実施形態のクランプ１は、上述したように、可撓性を有したワイヤーハーネス巻付部２１を備え、前記ワイヤーハーネス巻付部２１を、該ワイヤーハーネス巻付部２１の長さ方向に沿って複数の径内方向突出部２２を配置した波状に形成している。このため、ワイヤーハーネス巻付部２１をワイヤーハーネス１００に巻き付けた状態において、該ワイヤーハーネス巻付部２１の周方向に、径内方向突出部２２を配置した周期に応じて複数の撓み変形許容空間２２Ａを配設することができる。
【００６８】
よって、ワイヤーハーネス巻付部２１をその周方向全体に亘ってワイヤーハーネス１００から受ける外力に応じて撓み変形させることができ、撓み変形したワイヤーハーネス巻付部２１の復元力（弾性力）を含めた優れた締め付け力で周方向全体に亘ってワイヤーハーネス１００を巻き付けた状態で保持することができる。
【００６９】
さらにまた、本実施形態のクランプ１は、上述したように、径内方向突出部２２を、ワイヤーハーネス巻付部２１にのみに形成し、バンド体２０の長さ方向において前記ワイヤーハーネス巻付部２１に対して先端側部分２０ｔに、バンド体係合部２５を形成した構成としている。このように、バンド体係合部２５には、径内方向突出部２２を形成しない構成としたため、前記バンド体２０を前記ワイヤーハーネス１００に巻き付けた状態でロック体６０における係合突片６１を被係合突起６２に係合させる際に、径内方向突出部２２が邪魔になることなく、スムーズ、且つ、しっかりと、係合突片６１を被係合突起６２に係合させることができる。
【００７０】
加えて、本実施形態のクランプ１は、ワイヤーハーネス巻付部２１を長さ方向に沿って同じ肉厚となるよう形成したため、ワイヤーハーネス巻付部２１をワイヤーハーネス１００に巻き付けた状態において、周方向におけるワイヤーハーネス巻付部２１の肉厚の違いに起因してワイヤーハーネス巻付部２１の周方向において撓み変形性に違いが生じることないため、ワイヤーハーネス巻付部２１の周方向全体に亘って均等な弾性（復元力）を得ることができ、ワイヤーハーネス１００を周方向においてバランスよく締め付けることができる。
【００７１】
さらに、本実施形態のクランプ１は、上述したように、ワイヤーハーネス巻付部２１を長さ方向に沿って同じ肉厚となるよう形成したため、例えば、ワイヤーハーネス巻付部２１の長さ方向の少なくとも一部分を他の部分と比較して薄肉に構成したクランプ１のように、長さ方向の少なくとも一部分の強度が弱くなることがなく、全長に亘って十分な強度を確保することができる。その一方で、ワイヤーハーネス巻付部２１の長さ方向の少なくとも一部分を他の部分と比較して厚肉に構成したクランプ１のように、長さ方向の少なくとも一部分の材料コストが無駄に嵩むことがなく、低コストで形成することができる。
【００７２】
この発明の構成と、上述した実施形態との対応において、
ワイヤーハーネス保持手段は、ワイヤーハーネス保持部分１０に対応し、
車両取付け手段は、車両取付け部分２０に対応し、
車両における所定の取付け箇所は、取付けパネル２００の取付孔２００ａに対応するも
この発明は、上述した実施形態に限らず、その他にも様々な実施形態で形成することができる。  
例えば、ワイヤーハーネス巻付部２１を波状に形成することができるが、上述したように正弦波に限らず、様々な波形状で形成することができる。
【００７３】
具体的には、図７（ａ）に示すように、クランプ１ｘのバンド体２０ｘには、径内方向突出部２２ｘを周方向に配置して波状に形成したワイヤーハーネス巻付部２１ｘを備えている。
【００７４】
ワイヤーハーネス巻付部２１ｘは、その周方向において径内方向突出部２２ｘ以外のその他の部分を円環状の外周形状で形成する一方で、径内方向突出部２２ｘを、径内方向に段状に突出するとともに、該径内方向突出部２２ｘの先端部分を、径内方向突出部２２ｘ以外のその他の部分の径よりも小径の円環状の外周形状で形成している。
【００７５】
また、図７（ｂ）に示すように、クランプ１ｙのバンド体２０ｙには、径内方向突出部２２ｙを周方向において所定間隔を隔てた各部に配設したワイヤーハーネス巻付部２１ｙを備えている。
【００７６】
ワイヤーハーネス巻付部２１ｙは、その周方向において径内方向突出部２２ｙ以外のその他の部分を円環状の外周形状で形成する一方で、径内方向突出部２２ｙを、径内方向に滑らかな弧状に突出した形状で形成している。  
このようなワイヤーハーネス巻付部２１ｙの形状も本発明の波形状に含むものとする。
【００７７】
さらにまた、図７（ｃ）に示すように、クランプ１ｚのバンド体２０ｚには、径内方向突出部２２ｚを周方向において所定間隔を隔てた各部に配置して波状に形成したワイヤーハーネス巻付部２１ｚを備えている。
【００７８】
ワイヤーハーネス巻付部２１ｚは、その外面と内面とを異なる波形状で形成し、周方向において異なる肉厚で形成している。  
さらに、ワイヤーハーネス巻付部２１ｚの外面と内面とは、いずれも三角形状の波形で形成し、周方向において波形状の周期、及び位相が一致した状態で径内方向へ突出している。  
このようなワイヤーハーネス巻付部２１ｚの形状も本発明の波形状に含むものとする。
【００７９】
なお、図７（ａ），（ｂ），（ｃ）を用いて説明したクランプ１ｘ，１ｙ，１ｚの構成のうち、上述した第１実施形態におけるクランプ１と同様の構成については、その説明を省略する。
【００８０】
図７（ａ）に示したクランプ１ｘ、図７（ｂ）に示したクランプ１ｙ、及び、図７（ｃ）に示したクランプ１ｚは、それぞれワイヤーハーネス巻付部２１ｘ，２１Ｂ，２１Ｃを波状に形成しているため、ワイヤーハーネス１００を保持したとき、ワイヤーハーネス巻付部２１ｘ，２１ｙ，２１ｚにおける径内方向突出部２２ｘ，２２ｙ，２２ｚの径方向の外側に、ワイヤーハーネス巻付部２１ｘ，２１Ｂ，２１Ｃの撓み変形を許容する撓み変形許容空間２２Ａｘ，２２Ａｙ，２２Ａｚを形成することができる。このため、可撓性を有したワイヤーハーネス巻付部２１ｘ，２１ｙ，２１ｚが、ワイヤーハーネス１００の外周形状に応じて柔軟に撓み変形し易くなり、いずれのクランプ１においても、撓み変形したワイヤーハーネス巻付部２１ｘ，２１ｙ，２１ｚの復元力（弾性力）によってしっかりとワイヤーハーネス１００を保持することができる。
【００８１】
また、この発明のクランプの他の実施形態として上述したクランプ１のように、クランプ本体４０のロック係合部分３０の側方からバンド体２０を延設した形態に限らず、図８（ａ）に示すように、ロック係合部分３０の上面、詳しくは、ロック係合部分３０に対して突出する車両取付け部分５０とは反対側の面からバンド体２０を上方向Duに延設した形態のクランプ１Ａで構成してもよい。  
なお、図８（ａ）は、他の実施形態のクランプ１Ａの正面図である。
【００８２】
これにより、バンド体２０をワイヤーハーネス１００に巻き付けた状態とした際に、ロック係合部分３０の上端部がワイヤーハーネス１００に当接するなどして、該上端部が邪魔になることないため、より安定してワイヤーハーネス１００を保持することができるとともに、取付けパネル２００に対してワイヤーハーネス１００を容易に取り付けることができる。
【００８３】
また、この発明のクランプの他の実施形態として、クランプ１Ｂは、図８（ｂ１），（ｂ２）に示すように、バンド体２０の長さ方向において、ワイヤーハーネス巻付部２１とバンド体係合部２５とのうち、バンド体係合部２５のみに複数の被係合突起６２を配設するに限らず、バンド体係合部２５に加えて、ワイヤーハーネス巻付部２１Ｂにも複数の被係合突起６２を配設した構成であってもよい。
【００８４】
すなわち、被係合突起６２は、バンド体２０の長さ方向における直線状の先端部分であるバンド体係合部２５の表面のみならず、側面視正弦波状の部分であるワイヤーハーネス巻付部２１Ｂの表面に長さ方向に沿って複数配設した構成であってもよい。  
なお、図８（ｂ１）は他の実施形態のクランプ１Ｂの底面図を示す。図８（ｂ２）は図８（ｂ１）におけるＡ−Ａ線矢視拡大図を示す。
【００８５】
このような構成のクランプ１Ｂは、バンド体２０の長さ方向におけるバンド体係合部２５をバンド体挿通孔３２に挿入した状態において、ロック係合部分３０から突き出したバンド体係合部２５の先端部分を引張ることで、環状のワイヤーハーネス巻付部２１Ｂを絞ることができ、バンド体係合部２５のみならず、ワイヤーハーネス巻付部２１Ｂについても、バンド体挿通孔３２に挿通させることができる。
【００８６】
そして、ワイヤーハーネス巻付部２１Ｂの表面に配設した複数の被係合突起６２のうちいずれかの被係合突起６２を、ロック係合部分３０に形成した前記係合突片６１に係合させることができる。
【００８７】
これにより、上述したクランプ１Ｂは、バンド体係合部２５に形成した被係合突起６２を、ロック係合部分３０に形成した前記係合突片６１に係合させても、しっかりと保持することができないことができない程度の小径のワイヤーハーネス１００であっても、しっかりと保持することができる。
【００８８】
また、本発明のクランプは、上述した実施形態のクランプ１，１ｘ，１ｙ，１ｚ，１Ａ，１Ｂの構成に限らず、様々な実施形態で構成することができる。  
例えば、本発明のクランプは、バンド体２０，２０ｘ，２０ｙ，２０ｚの長さ方向において、ワイヤーハーネス巻付部２１，２１ｘ，２１ｙ，２１ｚ，２１Ｂと、バンド体係合部２５とを上述した長さの比率で構成するに限らない。
【００８９】
例えば、図示しないが、バンド体係合部の長さを上述した実施形態のバンド体係合部２５の長さよりも長尺或いは短尺としてもよく、又は、ワイヤーハーネス巻付部の長さを上述した実施形態のワイヤーハーネス巻付部２１，２１ｘ，２１ｙ，２１ｚ，２１Ｂの長さよりも長尺或いは短尺としてもよい。
【符号の説明】
【００９０】
１，１ｘ，１ｙ，１ｚ，１Ａ，１Ｂ…クランプ
１０…ワイヤーハーネス保持部分
２０，２０ｘ，２０ｙ，２０ｚ…バンド体
２１，２１ｘ，２１ｙ，２１ｚ，２１Ｂ…ワイヤーハーネス巻付部
２２，２２ｘ，２２ｙ，２２ｚ…径内方向突出部
２２Ａ，２２Ａｘ，２２Ａｙ，２２Ａｚ…撓み変形許容空間
２５…バンド体係合部
５０…車両取付け部分
６０…ロック体
６１…係合突片
６２…被係合突起
１００…ワイヤーハーネス
２００…取付けパネル
２００ａ…取付孔
【図１】
0005863462.tif 000002
【図２】
0005863462.tif 000003
【図３】
0005863462.tif 000004
【図４】
0005863462.tif 000005
【図５】
0005863462.tif 000006
【図６】
0005863462.tif 000007
【図７】
0005863462.tif 000008
【図８】
0005863462.tif 000009
【図９】
0005863462.tif 000010
【図１０】
0005863462.tif 000011
【図１１】
0005863462.tif 000012